(57)【要約】【課題】小型化できるとともに、蓋を楽器本体を被覆すること以外の目的でも使用することのできる電子鍵盤楽器を提供すること。【解決手段】電子鍵盤楽器Ｍを楽器本体１０と蓋２０とで構成した。そして、楽器本体１０が、鍵盤１６の鍵共通基端部１６ｃを底面近傍に位置させ、鍵盤１６の自由端部１６ｄが鍵共通基端部１６ｃ上方に位置するように鍵盤１６を傾斜させて支持するようにした。また、蓋２０を楽器本体１０に着脱可能にするとともに、鍵盤１６の表面に対して至近距離を保った状態で楽器本体１０を覆えるようにした。また、蓋２０の上に楽器本体１０を置いたときに、鍵盤１６が略水平になるようにした。さらに、蓋２０を立てた状態で、係合部２１に楽器本体１０の後端部を係合させることにより、鍵盤１６を略水平にした状態で、楽器本体１０を蓋２０に支持させ、蓋２０を譜面立てとして用いることができるようにした。【選択図】  図５
2004226636.tif 000002
【特許請求の範囲】
【請求項１】
鍵盤の後端部に形成された基端部を底面近傍に位置させ、前記鍵盤の自由端部が前記基端部よりも上方に位置するように前記鍵盤を傾斜させて支持する楽器本体と、
前記傾斜した鍵盤の表面に対して至近距離を保った状態で前記楽器本体の表面を覆うことができ、前記楽器本体に対して着脱可能な蓋と
を備えたことを特徴とする電子鍵盤楽器。
【請求項２】
前記蓋を水平面上に置き、その状態の蓋の上面に前記楽器本体を置いたときに、前記鍵盤の表面が略水平になるように、前記楽器本体と前記蓋とを構成した請求項１に記載の電子鍵盤楽器。
【請求項３】
前記蓋に係合部を設け、前記蓋の所定の側部を水平面上に位置させて前記蓋を立てた状態で、前記係合部に前記楽器本体の後端部を係合させることにより、前記鍵盤の表面を略水平にした状態で、前記楽器本体の後端部を前記蓋に支持させ、前記楽器本体の前端部を前記水平面に支持させることができるとともに、前記蓋を譜面立てとして用いることができるようにした請求項１または２に記載の電子鍵盤楽器。
【発明の詳細な説明】
【０００１】
【発明の属する技術分野】
本発明は、鍵盤を備えた楽器本体と、楽器本体の表面を覆って保護する蓋とを備えた電子鍵盤楽器に関する。
【０００２】
【従来の技術】
従来から、鍵盤を備えた電子鍵盤楽器には、鍵盤が設けられた楽器本体と蓋とで構成されるものがあり、このような電子鍵盤楽器の中に、蓋が、楽器本体の表面を被覆して保護するだけでなく、他の用途としても用いられるものがある（例えば、特許文献１）。
【０００３】
この電子鍵盤楽器では、蓋が２分割構造に形成されており、この２分割された蓋は、楽器本体の表面を被覆するようにして楽器本体に取り付けることにより蓋として使用できる。また、２分割された蓋は、楽器本体から取り外したときには、所定間隔を保って立てた状態で、その上端面に楽器本体の下面における両側部分を取り付けることにより脚体として使用することができる。この場合、楽器本体は、鍵盤が水平になるようにして、蓋からなる脚体に支持される。
【０００４】
【発明が解決しようとする課題】
しかしながら、このような鍵盤を備えた電子鍵盤楽器においては、演奏者が演奏する際には、鍵盤における演奏者側の自由端部分が後端の基端部を支点として上下に移動するため、各鍵の移動範囲を考慮して、楽器本体部分の上下方向の寸法は大きめに設定されている。このため、鍵盤の基端部の下方には、空間部が形成されてしまい、楽器本体は必要以上に大型化されるという問題がある。
【０００５】
【発明の概要】
本発明は、上記問題に対処するためになされたもので、その目的は、小型化できるとともに、蓋を楽器本体を被覆すること以外の目的でも使用することのできる電子鍵盤楽器を提供することである。
【０００６】
上記の目的を達成するため、本発明にかかる電子鍵盤楽器の構成上の特徴は、鍵盤の後端部に形成された基端部を底面近傍に位置させ、鍵盤の自由端部が基端部よりも上方に位置するように鍵盤を傾斜させて支持する楽器本体と、傾斜した鍵盤の表面に対して至近距離を保った状態で楽器本体の表面を覆うことができ、楽器本体に対して着脱可能な蓋とを備えたことにある。
【０００７】
前記のように構成した本発明の電子鍵盤楽器においては、楽器本体が、白鍵と黒鍵とからなる鍵盤の基端部側を底面近傍に位置させ、鍵盤の自由端部が基端部よりも上方に位置するように鍵盤を傾斜させて支持している。したがって、楽器本体における基端部側にはむだな空間部がなくなり、自由端部側には、鍵盤の各鍵が上下に移動するために必要な空間部が確保できる。これによって、楽器本体を、必要最小限の大きさに設定することができる。また、蓋は、鍵盤の表面に対して至近距離を保った状態で楽器本体の表面を覆うことができるため、鍵盤と蓋との間にも必要最小限の空間部だけを形成することができる。したがって、電子鍵盤楽器全体を小型化することができる。
【０００８】
また、本発明にかかる電子鍵盤楽器の他の構成上の他の特徴は、前記蓋を水平面上に置き、その状態の蓋の上面に前記楽器本体を置いたときに、前記鍵盤の表面が略水平になるように、前記楽器本体と前記蓋とを構成したことにある。
【０００９】
この電子鍵盤楽器においては、水平面上に置いた蓋の上に楽器本体を置いたときに、鍵盤の表面が略水平になるような形状に、楽器本体と蓋とを構成している。これは、楽器本体における前端面の高さと後端面の高さとの差が、蓋における前端面の高さと後端面の高さとの差と、略等しくなるように設定することにより可能になる。この場合、楽器本体の前端面の上端から白鍵の自由端が上方に突出していれば、その突出した高さも考慮して各部分の高さを設定する。これによると、電子鍵盤楽器を演奏する場合には、楽器本体から蓋を取り外して上面が水平になった台等の上に置き、その蓋の上に楽器本体を置くことにより、鍵盤を略水平にすることができる。これによって、電子鍵盤楽器の演奏がし易くなる。
【００１０】
また、本発明にかかる電子鍵盤楽器のさらに他の構成上の他の特徴は、蓋に係合部を設け、蓋の所定の側部を水平面上に位置させて蓋を立てた状態で、係合部に楽器本体の後端部を係合させることにより、鍵盤の表面を略水平にした状態で、楽器本体の後端部を蓋に支持させ、楽器本体の前端部を水平面に支持させることができるとともに、蓋を譜面立てとして用いることができるようにしたことにある。これによると、蓋が、楽器本体の表面を覆うための蓋としての機能の他、鍵盤を水平にした状態で楽器本体を支えるための支持台としての機能を持つようになるとともに、譜面立てとしての機能も持つようになる。したがって、実用的効果が大きくなる。
【００１１】
【発明の実施の形態】
以下、本発明の一実施形態を図面を用いて説明する。図１は、本発明にかかる電子鍵盤楽器Ｍを示している。この電子鍵盤楽器Ｍは、楽器本体１０と蓋２０とで構成されており、楽器本体１０は、脚部１１を有するケース部１２と、複数の白鍵１６ａと黒鍵１６ｂとで構成される鍵盤１６とを備えている。ケース部１２は、電子鍵盤楽器Ｍを支持するための支持台となる下ケース１３と、楽器本体１０の周側部における上部側部分を構成する上ケース１４とで構成されている。
【００１２】
下ケース１３は、底面部１３ａと周側部とからなっており、底面部１３ａの下面における四隅に、図２に示した脚部１１がそれぞれ設けられている。脚部１１は先端部がやや先細りになった筒状に形成されている。そして、下ケース１３の上端縁部は、内周側が切り欠かれた段部１３ｂに形成されている。上ケース１４は枠状に形成され、その下端縁部は、外周側が切り欠かれた段部１４ｃに形成されている。この段部１４ｃを、下ケース１３の段部１３ｂに係合させることにより、上ケース１４は下ケース１３に組み付けられている。
【００１３】
また、上ケース１４の上端縁部における後端部（図１の左側）からは、譜面を置くための譜面台１５が前方（演奏者側）に向って延びており、譜面台１５の前端部に突起からなる譜面止め部１５ａが形成されている。そして、上ケース１４の上端縁部における前端部（図１の右側）からは、フレーム部１４ａが後方に向って延びている。また、上ケース１４の上端縁部は、外周側が切り欠かれた段部１４ｂに形成されている。
【００１４】
白鍵１６ａと黒鍵１６ｂとは、それぞれ後端の鍵共通基端部１６ｃを支持部１７に支持させてケース部１２に対して上下に揺動可能に取り付けられている。また、白鍵１６ａは、鍵共通基端部１６ｃを譜面台１５の下方に位置させ、自由端部１６ｄをフレーム部１４ａの上方に位置させている。したがって、白鍵１６ａの自由端部１６ｄは、フレーム部１４ａの上方で上下に移動する。支持部１７は、一体成形により下ケース１３と一体となって成形されており、その高さは鍵共通基端部１６ｃとケース部１２の底面とが近い位置になるように低く設定されている。
【００１５】
このため、鍵盤１６は、自由端部１６ｄ側が鍵共通基端部１６ｃよりも高い位置になるように傾斜した状態で配置されている。また、白鍵１６ａは、押鍵されたときに、その自由端側の下端部とケース部１２の底面とが近い位置になるように配置されている。なお、鍵共通基端部１６ｃは、白鍵１６ａを１個置きに連結したもの２個と、黒鍵１６ｂを連結したものとが３段重ねになって配置されている。
【００１６】
蓋２０は、天井面部と前後の側部とからなっており、側部の下端縁部は、内周側が切り欠かれた段部２０ａに形成されている。蓋２０は、楽器本体１０に対して着脱可能になっており、段部２０ａを段部１４ｂに係合させることにより、楽器本体１０の表面を覆った状態で、楽器本体１０に取り付けられる。また、蓋２０の前端面の上部側部分は天井面部と前端面に対して傾斜した鍵自由端対向斜面部２０ｂに形成されている。
【００１７】
そして、蓋２０の裏面（図１の下面および内周面）における前端側の鍵並び方向における両側部分には、それぞれ天井面部に対して直交する係合部２１が突出して設けられており、係合部２１の後端面には係合凹部２１ａが形成されている。この係合凹部２１ａは、脚部１１を挿入できる形状および大きさに形成されている。
【００１８】
また、蓋２０の表面（図１の上面および外周面）における鍵自由端対向斜面部２０ｂの鍵並び方向の両側部分には、それぞれ略三角形の突出した片からなる把持部２２が設けられている。この把持部２２は、蓋２０の着脱操作等を行うときに使用者が手で持つ部分になるとともに、蓋２０を前端面を下にして立てる場合に蓋２０を安定させるための横転防止用支持部になる。
【００１９】
また、蓋２０の後端部における下端縁部の鍵並び方向の中央部には、電子鍵盤楽器Ｍを持つときの取っ手となる枠状の手提部２３が設けられている。そして、蓋２０の表面における後端側には、鍵並び方向に沿って、補強用の溝部２４が設けられている。この溝部２４は、脚部１１を挿入できる形状に形成されている。この蓋２０は、楽器本体１０に取り付けられたときに、裏面と鍵盤１６の表面との間が至近距離になるように構成されている。また、把持部２２および手提部２３は、一体成形により蓋２０と一体的に成形されている。
【００２０】
なお、図示していないが、ケース部１２における鍵盤１６の下方の部分には、キースイッチや回路が形成されたプリント基板等が取り付けられている。さらに、楽器本体２０の表面における鍵盤１６の近傍には、複数の操作子等を備えた操作パネルが設けられている。
【００２１】
このように構成された電子鍵盤楽器Ｍを使用しないときには、図１のように段部１４ｂと段部２０ａとを係合させることにより、楽器本体１０の表面を覆った状態で、蓋２０を楽器本体１０に取り付けておく。これによって、鍵盤１６に埃が溜まったり、鍵盤１６に傷が付いたりすることを防止することができる。また、電子鍵盤楽器Ｍを外部に持ち出す場合には、蓋２０を楽器本体１０に取り付けた状態で手提部２３を持って運ぶ。この場合、電子鍵盤楽器Ｍは、コンパクトになって、携帯しやすくなる。
【００２２】
また、電子鍵盤楽器Ｍを使って演奏する場合には、楽器本体１０から蓋２０を外し、その蓋２０を前後に反転させて、図３に示した状態で、台２５の上面に置く。そして、ケース部１２の後端側に設けられた２個の脚部１１を鍵自由端対向斜面部２０ｂに係合させ、ケース部１２の前端側に設けられた２個の脚部１１を溝部２４内に位置決めした状態で、楽器本体１０を蓋２０の上面に置く。なお、楽器本体１０と蓋２０とは、図３のように設置すると、鍵盤１６の表面が水平になるように構成されている。
【００２３】
すなわち、楽器本体１０の後端面の高さと蓋２０の前端面の高さとの合計高さが、楽器本体１０の前端面の高さと蓋２０の後端面の高さとの合計高さよりもやや高くなるように設定されている。したがって、図３の状態にした場合には、鍵盤１６の表面が水平になって、電子鍵盤楽器Ｍは、演奏者が演奏し易い状態になる。
【００２４】
また、演奏する際に、楽譜を見る場合には、図４および図５に示したように、蓋２０の前端面を台２５の上面に当てた状態で蓋２０を垂直方向に立てる。そして、ケース部１２の後端側に設けられた２個の脚部１１を、係合部２１の凹部２１ａ内に位置決めした状態で、楽器本体１０を台２５の上面に置く。なお、係合部２１は、図４および図５のように楽器本体１０と蓋２０を設置すると、鍵盤１６の表面が水平になる位置に設けられている。
【００２５】
そして、譜面２６の下端部を譜面止め部１５ａに当て、上部を手提部２３側に傾倒させた状態で、譜面２６を譜面台１５の上に置く。演奏者は、この譜面２６を見ながら電子鍵盤楽器Ｍの演奏を行うことができる。この場合、蓋２０の把持部２２が前端面とともに、台２５の上面に接触しているため、蓋２０は安定した状態で起立姿勢を維持できる。また、譜面２６は、譜面止め部１５ａと手提部２３との支持によって安定した姿勢を維持できる。
【００２６】
このように、この実施形態によれば、電子鍵盤楽器Ｍを使用しない場合には、楽器本体１０に蓋２０を取り付けて鍵盤１６を保護した状態にすることができる。これによって、鍵盤１６に埃が付いたり、傷が付いたりすることを防止することができる。また、このときには、電子鍵盤楽器Ｍは、内部に無駄な空間のないコンパクトな状態になっているため、狭い場所でも保管することができる。さらに、手提部２３が設けられているため携帯にも便利になる。
【００２７】
電子鍵盤楽器Ｍを使って演奏する場合には、蓋２０を台として使い、その上に楽器本体１０を置くことにより演奏が可能な状態になる。この場合、後端側の脚部１１と鍵自由端対向斜面部２０ｂとの係合および前端側の脚部１１と溝部２４との係合によって、楽器本体１０は安定した状態で蓋２０に支持される。また、その際、鍵盤１６の表面が水平になるため、操作し易い状態で演奏することができる。
【００２８】
また、譜面２６を見ながら電子鍵盤楽器Ｍを使って演奏する場合には、蓋２０の前端面を下方にして蓋２０を起立した姿勢にし、後端側の脚部１１を係合部２１の係合凹部２１ａに係合させて楽器本体１０を蓋２０に支持させることにより、蓋２０を譜面立てとして用いることができる。この場合も、鍵盤１６の表面は水平になって、電子鍵盤楽器Ｍは演奏し易い状態になる。このように、本実施携帯による電子鍵盤楽器Ｍは、場合に応じて蓋２０の姿勢を変更することにより、種々の方法で使用することができるため効果的である。
【００２９】
また、本発明による電子鍵盤楽器Ｍを構成する各部分は適宜変更実施が可能である。例えば、前述した実施形態では、蓋２０を天井面部と前後の側部とで構成したが、側部を蓋の周囲全てに設けて蓋を箱型に形成してもよい。これによると、楽器本体１０の表面に埃が溜まることをさらに確実に防止できる。また、脚部１１や係合部２１およびその他の部分の形状も前述したものに限らず変更が可能である。
【図面の簡単な説明】
【図１】本発明の一実施形態にかかる電子鍵盤楽器の縦断面図である。
【図２】脚部を示す斜視図である。
【図３】蓋を台にして楽器本体を支持させた状態を示す縦断面図である。
【図４】蓋を譜面立てにして楽器本体を指示させた状態を示す斜視図である。
【図５】図４の５−５断面図である。
【符号の説明】
１０…楽器本体、１２…ケース部、１５…譜面台、１５ａ…譜面止め部、１６…鍵盤、１６ａ…白鍵、１６ｂ…黒鍵、１６ｃ…鍵共通基端部、１６ｄ…自由端部、２０…蓋、２０ｂ…鍵自由端対向斜面部、２１…係合部、２１ａ…係合凹部、２４…溝部、Ｍ…電子鍵盤楽器。
【図１】
2004226636.tif 000003
【図２】
2004226636.tif 000004
【図３】
2004226636.tif 000005
【図４】
2004226636.tif 000006
【図５】
2004226636.tif 000007